(57)【要約】      （修正有）【課題】タテ２４ｃｍヨコ１８、５ｃｍのタブレットは通常のポケット（衣服）には入らない、又パッチポケットでこの面積は引張り現象で運動が出来ない。【解決手段】セルタブレット端末用立体ＢＡＧを形成して、手持部を縫い合部を形成したＢＡＧを先に作製してから、そのセルタブレット端末入れ用ＢＡＧに縫い合せる。次に、主布地体（衣服、カバン、Ｃａｒシート飛行機シート後、電車シート）の本体に縫い付けて完成する。タブレット端末は必要とする時だけ、衣服に取り付ける。又、端末入りＢＡＧは簡単に取りはずせる。【選択図】図１
2013253362.tif 000002
【特許請求の範囲】
【請求項１】
バッテリータブレット端末の面積はＩ，Ｐａｄ機でタテ２４ｃｍヨコ１８、５ｃｍでのバッテリータブレットはＰａｎｔｓのパッチポケットにすると歩行や走行に無理であり、Ｔシャツも上衣のパッチポケットは突っ張る現象はタブレットの板の面積は平であり、人間の肉体は丸身体の衣服にタブレットを「ぶる下りポケット」を形成を立体的ポケットの上前表地を左縒を片側プリーツ布地を用いて下前裏側布地は右縒のポケットは対面しない目的で上前と下前は対面しない地縫い方法は、ポケット部は、ねぢれないポケットを形成するとタブレット入ポケットは平ら面積でストレッチ出来る方法は、ｂａｇ用袋縫いポケット形成させる。
【請求項２】
次にその「ぶる下りポケットをヂッパーオープンテープを利用して、背広服の背中に「ぶる下りポケットを別々に仕立てる方法で、主土台片は衣服（上衣、シャツ、Ｐａｎｔｓ、及びＣａｒ（車）の内部、及び飛行機Ｓａｒｔ部を土台片００１はオープンヂッパースライダー部付さしこみメステープ００２はタブレット用寸法ヨコ１８、５ｃｍヂッパテープの片側を土台片部は上衣後背肩部ヨーク部に水平に縫い付られるヂッパーテープは、タブレットのぶる下りポケットのハンガーかけの役目のヨコ面積タブレット寸法の１８、５ｃｍヂッパー００３土台片ハンガーを形成００３縫い付けるヂッパーメス土台片完成、０２に取り付ける目的はタブレット端末をパッチポケットの方法の欠陥はタテ２４ｃｍとヨコ１８、５は金属性で体形の丸身と合致しないのでタブレット端末用ポケットは袋形ポケットに前身プリーツ表地と後身長方形の左バイアス（表地）と右バイアス縒糸表地とのストレッチ出来る袋形ポケット００４のタブレット端末ポケットの上部００５タブレットヨコ巾１８、５ｃｍ部に取付るヂッパーオープンオステープ１８、５〜２１ｃｍ切断部００６にテープのスライダーストップ部に土台片布地を用いて４ヶ折りでヂッパ切断部を包むヂッパーテープ手持ち部００７を形成してから上部タブレット００５ポケット入口にヂッパテープオステープを袋形ポケット口００４部に縫い合された独立した、Ｉ，Ｐａｔ、タブレット端末ポケット。
【請求項３】
バッテリータブレット端末は金属銘刻板で上衣のポケットスペース、シャツのポケットスペース、Ｐａｎｔｓのポケットでパッチポケット用いずにヂッパーテープを利用してハンガーぶる下り方法で、ｉ，Ｐｈｏｎｅ携帯用ポケット、及び携帯用ケースにヂッパーテープ長さのオープンヂッパーをタブレット巾に合せて１８、５ｃｍ〜１１ｃｍに切断した所に手持ち部００７を、土台片（主布地の共地）を４ヶ折りして、コバステッチのダプレット寸法ヂッパー手持ち部００、７共布地をヂッパー内以内（１、５×１、５ｃｍ）を００６、ストップ部に縫付ると、チッパー縫代部が形成されて、短かい寸法Ｉ，Ｐｈｏｎｅ用でも縫代に縫い入れないので、タブレット用のポケットと土台片身頃と別々に切りはなす事が出来る、そして、ｉ，Ｐａｄ端末タブレット用のポケット用の身頃土台片のヂッパーテープはメスオープンヂッパーは１８、５〜２１ｃｍのヂッパテープにもハンガー掛けで取り変える利点があるヂッパテープ手持ち部００７は共地縫い又は縫代熱着も出来ると、同一（ｓａｍｅ）オープンスライダーヂッパーを利用する事で、衣服や自動車Ｓａｒｔ、飛行機Ｓａｒｔ用にタブレットポケット用に身頃土台片にメス．オープンヂッパーを縫い付けてあれば世界中に、タブレット端末ポケット（本ポット）を取り変る事が出来るし及びｂａｇの表側にも同様に取り変えタブレット端末ポケットにも共用出来る、タブレット端末用携帯出来るセルフォーン及びセルタブレット器具のヂッパーテープ、及びタブレット端末のポケットを携帯ストラップ取付用に０、７の下部にハンガー掛け００７′を形成してなるセルダブレット携帯用ヂッパーテープを身頃土台片と別々に独立したタブレット端末ポケット形成する事でタブレット端末もセルフォーンは世界中共用で衣服もｂａｇもＣａｒ、Ｓａｒｔにも取り付け出来る別々ヂッパーテープ。
【発明の詳細な説明】
【技術分野】
【０００１】本発明は先の発明特願２０１０−２９４９１３号の図２〜（ｆ）Ｉ、Ｐｈｏｎｅ（Ｃｅｌｌ  Ｐｈｏｎｅ）とＩ，Ｐａｔ（Ｃｅｌｌ  ｔａｂｌｅｔ端末）のパッチポケット裁断面と発明特願２０１１−２５０１２３号図４〜（ｂ）〜（ｄ）表面裁断図と裏面裁断したパッチポケットの区別方法関する。
【背景技術】
【０００２】従来、Ｉ，Ｐａｔ端末のタブレット（金属平板）がタテ２４ｃｍ〜ヨコ１８、５ｃｍの大面積は通常衣服ポケットには入らないしさらに大平板タブレットは衣服を引ぱり現象で運動出来ない、原理の発明が解決しようとする課題。【０００３】本発明の基本は特願２０１１−２５０１２３号〔図１〕（ａ）〜（ｉ）縒り糸は表が左縒り糸で裏が右縒りに無理に熱加工した、高分子糸が発明されている、されにｋｎｉｔ編でも表左縒り糸で裏側地は右縒００４に糸の分子は合体した物をストレッチャブルクロスと云う方法で板（タブレット）端末ポケットが形成
【課題を解決するための手段】
【０００４】ＩＰｈｏｎｅ名称はローマ字ＩＰａｄ名称も嘘、ローマ字イホネ＆イバ！を正しく呼名をＩ，Ｐｈｏｎｅにコンマ入直しＩ，ＰａｄもＣｏｍｍａに入れ直してＩ，Ｐａｄタブレット端末として解決にコンマ手段とする、それてＩＰｈｏｎｅの名称もイホネを「Ｉ，Ｃｅｌｌ  Ｐｈｏｎｅ」とＣｏｍｍａ入り名称とする（私のバッテリ電話）嘘のローマ字文は使用出来ない、まず、Ｉ，Ｐａｄ＝「Ｃｅｌｌ  ｔａｂｌｅｔ端末」の大板面積は通常の衣服のポケットで使用出来ないので衣服の外側ポケットの方法を発明した。
【発明を実施するための最良の形態】
【０００５】本図１〜（ａ）は背広服の後背を土台片にオープンヂッパー００１テープメス部００１を基本として縫い合せはＴシャツ、Ｙシャツ、Ｐａｎｔｓ  ｂａｇ、Ｃａｒ内装部及び飛行機座席シート後背を土台片共通ヂッパーメステープ００１縫い付ける目的は、メスヂッパーテープ００５はタブレット端末ポケットが縫い付けられている袋を合体００８させる事である００５はボタン又はマヂックテープで合体（Ｓｔｉｃｋ）ので別々の物体で洗濯（ｗａｓｈｉｎｇ）も取外して別々に洗濯する事が出来る。さらに本背広服の背土台片００１ヂッパーメス機（ダブレット端末入袋００４〜００４′を取り外して、別のセルフォーン入袋と交換（ｅｘｃｈａｎｇｅ）で取り付ける利点（ｍｅｒｉｔ）は、ＡＰＰｌＥｉｎｃのタブレットも、ドコモｉｎｃタブレットも交換して取り付ける事が出来る。【０００６】タブレット端末もセルフォーンのポケット取り外してｂａｇとして使用する場合、手提げ（手にさげるかばんや袋類）は、オスヂッパーテープ００７部の下００７′を形成で携帯ストラップ等を取付機００７′のリンクが縫い合せで、手提げ付ｂａｇで持運び携帯用ヂッパーテープ付タブレット端末、及セルフォーンを携帯出来る。
【実施例】
【実施例１】
【０００７】図１ａ〜ｄ
背広服、Ｇヂャンバー、Ｐａｎｔ、Ｙシャツ、Ｔシャツにセルダブレット端末入ポケット取付けと取り外しの写真図と次にセルフォーン入ポケットに取り変えて取付た写真図
【実施例２】
【０００８】図３〜ｂ
図のＢＡＧ，リックサック，土台片にヂッパーテープメス（オープンヂッパー）を取付でタブレット端末の横巾寸法Ｉ，Ｐａｄ端末１８、５ｃｍ用にヂッパーテープ長さ１８、５ｃｍ〜２２ｃｍを縫い付け０１を基点にタブレット端末入袋００４〜００４′オスヂッパー００５を用いてＢＡＧ土台片メスヂッパースライダーに取付る携帯機能機。
【実施例３】
【０００９】図  自動車座席、飛行機座席、電車座席後部土台片に  ヂッパーテープメス（オープンジッパー）を取付け目的はタブレット端末の横巾寸法、１８、５ｃｍ必要でその寸法１８、５ｃｍ〜２２ｃｍヂッパーメステープだけ縫付る片側ヂッパ縫い付けられる座席シートのヂッパーテープのＤＥＳＩＧＮの形態
【発明の効果】
【００１０】本発明の効果は地球上のタブレット端末もセルフォーン携帯も本発明ポケット付ヂッパーテープを利用して、背広からＢＡＧに取り変え自由、さらにＢＡＧから飛行機座席のメススライダーヂッパーにタブレット端末ＢＡＧオススライダーヂッパーが合着出来ると地球上携帯とタブレット端末はヂッパーで合致すると大きいタブレット端末をどこでも収納（ｒｅｃｅｉｖｉｎｇ）出来る。
【図面の簡単な説明】
【００１１】
【図１】（ａ）〜（ｈ）はＣｅｌｌ  ｔａｂｌｅｔ（バッテリータブレット）とＣｅｌｌ  Ｐｈｏｎｅ（携帯電話）ポケットＢＡＧにヂッパーテープ自在切り寸法を用いた本発明の製造方法の基本的手順を示す概略斜視図である
【図２】（ａ）〜（ｊ）は本発明の製造方法の基本的手順を示す概略斜視図である。
【図３】（ａ）〜（ｄ）は本発明の実施の手順を示す概略斜視図である。
【符号の説明】
【００１２】００１−−−−−主布地（背広）に縫い付けたオープンメスヂッパーテープ
００２−−−−−主、土台片（本体、衣服、ＢａＧ、Ｐａｎｔｓ、Ｃａｒ座席）
００３−−−−−ヂッパーオープンテープ  スタート  オス部
００４−−−−−バッテリータブレット用裏側地右縒糸布袋部
００４′−−−−バッテリータブレット用表側地左縒糸布袋部
００５−−−−−ヂッパーオープンテープが縫い付けたオスヂッパーテープ
００６−−−−−ヂッパーテープストップ金具
００７Ａ−−−−ヂッパーテープストップ金具布部ほころびどめ縫布
００７−−−−−ヂッパーテープほころびどめ縫い仕上り部
００７′−−−−ヂッパーテープバンド用リング金具取付部
００８−−−−−バッテリータブレット端末入ポケット安定ポックオス部
００８′−−−−主土台片にポック、マヂックテープメス部
００９−−−−−バッテリーＰｈｏｎｅ（携帯電話）土台片に取付け部
０１０−−−−−本携帯電話パッチポケットを示す特許出願中の２０１１−２５０１２３号裁断図。
【図１】
2013253362.tif 000003
【図２】
2013253362.tif 000004
【図３】
2013253362.tif 000005